(57)【特許請求の範囲】
【請求項１】
送信モードを有する無線機（１）と、
コードを記憶しており、プレス・トゥー・トーク（ＰＴＴ）スイッチ（３４）を内蔵しており、前記スイッチ（３４）が作動したときに前記コードを送信するように構成された前記無線機と比べて比較的短距離用の送信器（３８）を含むコードレス遠隔モジュール（３３）と、を含む無線システム（１、１２、３０、３３）であって、
前記無線システムは、
前記遠隔モジュール（３３）から前記コードを受信して前記無線機（１）を送信モードに設定するための、前記無線機（１）に関連する受信機（４２）をさらに含み、
前記受信機は、前記送信機から送信された前記コードを学習して、後でそれを認識できるような「学習」モードを有し、前記学習モードは前記受信機のスイッチ（４４）を動作させることによって作動させられることを特徴とする、
無線システム。
【請求項２】
前記短距離用の送信器（３８）が、無線送信器であることを特徴とする、請求項２に記載のシステム。
【請求項３】
前記短距離用の送信器（３８）が、赤外線送信器であることを特徴とする、請求項１に記載のシステム。
【請求項４】
前記遠隔モジュール（３３）が、異なる無線ネットワークに対応付けられた２つのＰＴＴスイッチを含むことを特徴とする、請求項１から請求項３のいずれか1項に記載のシステム。
【請求項５】
前記受信器（４２）が、異なる遠隔モジュール（３３）に対応付けられた複数のコードに応答することを特徴とする、請求項１に記載のシステム。
【請求項６】
前記スイッチが、前記受信器に対応付けられた磁気作動式スイッチであり、
前記遠隔モジュール（３３）が、磁石（３５）を含み、
前記磁石及び磁気作動式スイッチが、該磁石を含む前記遠隔モジュールが該磁気作動式スイッチに対して適切な位置に保持された時に学習モード位置を採ることになるように、構成される、ことを特徴とする、請求項１に記載のシステム。
【請求項７】
多数回にわたり或いは所定の期間を超えた期間にわたり前記遠隔モジュール（３３）上のＰＴＴスイッチ（３４）を押すことにより、前記受信器からコードを除去させて、該受信器がもはやそれらコードに応答しないようにすることを特徴とする、請求項から請求項６のいずれか1項に記載のシステム。
【請求項８】
前記受信器（４２）が、前記無線機（１）内に配置されることを特徴とする、請求項１から請求項７のいずれか1項に記載のシステム。
【請求項９】
前記受信器（４２）が、前記無線機から離れて配置されるが、該無線機に配線されることを特徴とする、請求項１から請求項８のいずれか1項に記載のシステム。
【請求項１０】
前記無線機（１）が、個人任務用無線機であることを特徴とする、請求項１から請求項９のいずれか1項に記載のシステム。
【請求項１１】
前記無線機（１）が、該無線機と電気接触状態である付加的ＰＴＴスイッチを有し、
前記付加的ＰＴＴスイッチが、前記遠隔モジュールの前記ＰＴＴスイッチと並行して機能するように構成される、
ことを特徴とする、請求項１から請求項１０のいずれか1項に記載のシステム。
【請求項１２】
前記付加的ＰＴＴスイッチ（１６）が、前記無線機（１）から分離可能な装置（１２）内に配置され、
前記遠隔モジュール（３３）からの信号用の前記受信器（４２）が、その分離可能な装置（１２）内に位置している、
ことを特徴とする、請求項１１に記載のシステム。
【請求項１３】
前記分離可能な装置（１２）が、それによって該装置を複数の協働するインタフェース（６、１９）に取り付けることができるインタフェースを含むことを特徴とする、請求項１２に記載のシステム。
【発明の詳細な説明】
【０００１】
（発明の属する技術分野）
本発明は無線システムに関し、限定するわけではないが、厳密に言えば、代表的には軍隊又は警察のような機関の構成員が携行する個人任務用無線機として広く知られているものを採用している無線システムに関する。ここでは、個々が双方向通信を可能にする個人任務用無線機を持つことの必要とされる場合がしばしばある。
【０００２】
（発明の背景）
従来の双方向無線は複信回線（duplex）又は単信回線（simplex）モードで作動するが、複信回線モードとは、電話システムと同様に、送受信経路は双方に開かれており他の必要条件なしに双方の当事者は互いに話ができるようになっているものである。
【０００３】
より一般的な動作システムは単信回線であり、各無線の送信経路は、送信側が「プレス・トゥー・トークスイッチ」（ＰＴＴ）を作動させて送信に合わせた場合にのみ有効となる。使用されるスイッチの型は様々であり、一般に使用されているハンドヘルド型の場合のようにマイクロホンか、又は商業用及び作戦行動用ヘッドセットに使用されているような無線機とヘッドセットの間のリード線のスイッチボックスの何れかの部分である場合が考えられる。
【０００４】
オペレータは、時には他の仕事をこなすために手がふさがっているときに無線送信スイッチを作動させねばならないこともあり、あるシステムでは音声起動を組み入れて、マイクロホンによりユーザーの音声が検知されるとスイッチが切り替わるようになっている。この技法はある用途では信頼性がなく、ユーザーがスイッチを操作しなければならないシステムが、依然として無線を制御する唯一の信頼できる手段に留まっている。
【０００５】
（発明の概要）
本発明によれば、送信モード、及び無線を送信モードにセットするためのプレス・トゥー・トーク（ＰＴＴ）スイッチを有する無線機を備えている無線システムであって、無線機に付帯する無線インタフェースと、ＰＴＴスイッチを配置した汎用通信インタフェース（ＵＣＩ）を更に備え、無線インタフェースは前記ＵＣＩを取り外し可能に取り付けられるようになっており、取り付け時にはＵＣＩと無線機との間で通信できるようになっていることを特徴とする無線システムが提供されている。
【０００６】
本発明を採用し、汎用通信インタフェース（ＵＣＩ）を備えることにより、ＵＣＩにはＰＴＴスイッチが配置され、ＵＣＩは無線インタフェース上に取り外し可能に取り付けられるようになっていることから、標準的ＵＣＩ及び付帯のＰＴＴスイッチを幾通りもの用途に利用することができるようになる。このシステムは、単スイッチ型を多数の用途で共用できるようにしている点で、例えば警察又は軍隊で使う場合、特に都合が良い。これにより、どんな無線機を使用中であるかには関わりなく、ＵＣＩさえ備わっていれば制御原理は同じであるので、ＵＣＩの規定、ＵＣＩ用のスペア、ヘッドセットのような補助機器で必要となる多数のリード端子型、及びオペレータに要求される訓練量が簡素化される。より重要な点として、一旦工作員がＵＣＩについて訓練を受ければ、ＵＣＩ型式は全無線機に共通であるので、工作員が無線機の操作以外の対象に集中しているときに、機器の型式に不慣れなことにより起きるＰＴＴスイッチの作動ミスの可能性が低くなる。
【０００７】
本システムは、それぞれにＵＣＩを受け入れることのできる各種無線インタフェースを備え、これによりインタフェースを具体的な用途に合わせて変更できるようになっていることが望ましい。ある特定の車種の場合、又はオペレータが無線機を装着する場合には、特定の取り付けが必要となるかもしれない。無線インタフェースは型式が異なり、用途特定型で、異なる型式の無線機に接続され、又は異なる場所に取り付けられるようになっている。すなわち、ＵＣＩに対するインタフェースは共通であるが、一方で無線インタフェース又は無線インタフェースからのリード線の取り付けは用途特定型とすることができる。
【０００８】
無線インタフェースは無線機のハウジングに直接取り付けられるが、これは普通はストラップ形式で携行される個人任務用無線機である場合、工作員にとっては特に都合が良い。ここで、無線機とＵＣＩは完全に一体を成し、両者の間に補助配線は全く不用である。ヘッドセット及びラペルマイクロホン又は類似物は、通常の様式でＵＣＩに接続できる。
【０００９】
別の実施例では、無線インタフェースは、無線機から離して配置されるが、物理的な通信リンク、即ちワイヤ又は光ファイバーの何れかにより無線機に接続された遠隔インタフェースであってもよい。これは、例えば、無線機が車両に搭載される大型無線機である場合には、無線機を車両内のどの様な場所にでも搭載できることから、特に好都合であるといえる。そうすると、工作員は、ＵＣＩを工作員にとって便利な場所で遠隔無線インタフェースに取り付けることができるようになり、或いは無線インタフェースを工作員に装着することもできる。
【００１０】
ある用途、特に軍用の場合、個人任務用無線機は双方向無線により局所的に通信できることが必要であるが、工作員は、異なる無線ネットワーク、例えばコンバットネットワーク無線への接続が必要となることもある。このケースでは、ＵＣＩは、無線インタフェースによって個人任務用無線機に接続され、ワイヤか光ファイバーによって第２の無線機に接続されるようになっていれば、特に都合が良い。この場合、ＵＣＩには２つのＰＴＴスイッチが取り付けられていて、無線ネットワーク毎に１つずつ対応付けてあるのが特に有効である。
【００１１】
ある用途では、異なる無線ネットワークの間に交差通信の可能性の無いことが必要とされる。その場合、ＵＣＩには、一方のチャネル（通常は、受信チャネルが使用中は送信チャネル）を閉じることにより、異なる無線ネットワークに関連する少なくとも１つの送信と１つの受信信号の間には確実に交差通信を発生させないようにするための回路が設けられる。
【００１２】
本発明のシステムには、更に、ＰＴＴスイッチを有する配線型遠隔ＰＴＴモジュールを備えることができ、このモジュールは、ＵＣＩよりも小さく、ＵＣＩは遠隔ＰＴＴスイッチへのワイヤ用の接続部を有している。これにより、ＵＣＩのＰＴＴスイッチの機能はＵＣＩから離れていても作動させることができるようになり、遠隔ＰＴＴモジュール及び付帯スイッチは、工作員にとって便利な場所、例えばオートバイのハンドルバーなどに取り付けることができるようになる。
【００１３】
小型の配線型遠隔ＰＴＴモジュールに代えて、又はこれに加えて、本システムは、更に、ＰＴＴスイッチを備えているコードレス遠隔ＰＴＴモジュールを備えることもでき、この遠隔モジュールは、更に、無線機に対する短距離用コードレス送信器を備えている。次に、ＵＣＩは、更に、ＵＣＩのＰＴＴスイッチの機能を遠隔的に起動させるための遠隔モジュールからの信号を受信するための受信器を備えている。こうすると、ＵＣＩが、個人任務用無線機に取り付けられていようと、或いは車両にも取り付けられるように遠隔無線インタフェースに取り付けられていようとも、工作員には当該ＵＣＩ及び付帯無線機を遠隔モジュールにより遠隔的に作動させる手段があるので特に都合が良い。短距離送信は、赤外線でもよいが、無線送信器によるのが望ましい。
【００１４】
ＵＣＩが異なる２つの無線ネットワークに対応してＰＴＴスイッチを２個有する場合、遠隔モジュールは２つの無線ネットワークに対応付けられた２つのＰＴＴスイッチを備えているのが望ましい。
【００１５】
遠隔モジュールから送信された信号は、ＵＣＩの受信器が応答するコードを備えており、それにより正しい信号がＵＣＩにより受信され、多数の遠隔モジュールが近接して個々により操作された場合に不注意な操作を回避するようにしているのが有効である。
【００１６】
ＵＣＩの受信器は、異なる遠隔モジュールに対応付けられた各種コードに、好都合に応答するようになっている。これは、それぞれ遠隔モジュールに取り付けられた複数の機器を操作する工作員に、ＵＣＩが関係付けられている場合は、特に都合が良い。工作員は、こうして、遠隔モジュールに付帯する何れの機器でも操作でき、各機器に対応付けられた遠隔モジュールを介して自身のＵＣＩのＰＴＴスイッチを効果的に起動できるようになる。
【００１７】
ＵＣＩの受信器は、好都合に、ＵＣＩが遠隔モジュールに対応付けられたコードを学習する「学習」モードを有している。これは、工作員が遠隔モジュールを失った場合、又は遠隔モジュールが損傷した場合に、そのモジュールを、別の事前にプログラムされたコードを有する新しいモジュールと交換して、ＵＣＩにより学習させることができるので、特に都合が良い。遠隔モジュールがＵＣＩに対応付けられたコードを学習するのではなく、ＵＣＩがモジュールのコードを学習するのが望ましく、というのは、このようにすると遠隔モジュールはコードを送信するだけでよくなるので受信器が不要となるからでる。
【００１８】
本システムのＵＣＩは磁気により作動するスイッチを備え、遠隔モジュールは磁石を備え、この磁石と磁気により作動するスイッチは、この磁石を含んでいる遠隔モジュールが、磁気を感知するスイッチに関して適当な位置に保持された場合に、磁気により作動するスイッチが「学習」モード位置を選ぶようになっており、この位置で遠隔モジュール上のＰＴＴスイッチが起動するとＵＣＩが遠隔モジュールにより送信されるコードを学習するようになっているのが望ましい。
【００１９】
遠隔モジュール上のＰＴＴスイッチを多数回、又は所定期間を過して押すと、１つ又はそれ以上のコードをＵＣＩから取り除くことができ、そうするとＵＣＩはそれらのコードに対してはもはや反応しなくなる。通常は、このような行為によってＵＣＩから全コードが削除され、ＵＣＩは所望のコードを学習し直すことになる。
【００２０】
（好適な実施例の詳細な説明）
本発明の１つの実施例について、添付図面を参照しながら一例として以下に説明する。
【００２１】
図１に示すように、個人任務用無線機を全体として１で示し、これには、ケーシング２、電池室カバー３、作動制御装置４及び５、無線インタフェース６から構成される端面が含まれている。インタフェース６は、はめ込み穴７、はめ込みねじ穴８、及び電気相互接続部９、１０、１１を有している。
【００２２】
個人任務用無線機１は、空中線（図示の実施例では内部にある）と、無線信号を送受信するための送信器と受信器を備えている。個人任務用無線機は、工作員が携行できるように設計されており、通常はベルトに取り付けて携行されるか、又は例えば工作員に関連する車両上の工作員の近くに搭載される。
【００２３】
無線インタフェース６は、図１Ｂに全体を符号１２で示す汎用通信インタフェース（ＵＣＩ）を取り付けるように設計されている。ＵＣＩ１２は、図示しないスタッドとねじ１３を備え、それぞれ、はめ込み穴７及びはめ込みねじ穴８と協働してＵＣＩハウジング１４を正しい位置に保持するようになっている。ＵＣＩ１２は、ヘッドセットコネクタ１５と、それぞれに異なる２つの無線ネットワークに対応付けられたプッシュ・トゥー・トーク（ＰＴＴ）ボタン１６、１７と、光ケーブル接続部を取り付けるための２つのスロットを備えているが、本図では前記２つのスロットのうちの一方１８しか示していない。
【００２４】
各無線機を介して各通信ネットワークに話し掛けるためにスイッチ１６及び１７を押すが、ボタン１６は図１Ａの個人任務用無線機１に対応付けられ、ボタン１７は外部の無線ネットワークに対応付けられており、この外部ネットワークとしては無線システムが軍事用途に採用されている場合には、コンバットネットワーク無線が考えられる。
【００２５】
汎用通信インタフェースは、一方の通信ネットワーク上で信号が受信されているときには、他のネットワークに対応付けられているボタンにより制御されるプレス・トゥー・トーク機能は起動できないようにするための回路を備えている。これは、ヘッドセット等によりユーザーに対して送受信されている無線信号が、開いているマイクロホンによりうっかり拾われ、同時に他方の無線ネットワーク上を送信されることが絶対にないようにするものである。
【００２６】
図１Ａの無線機が図１ＢのＵＣＩに取り付けられ、適当なヘッドセット又はスピーカ／マイクロホンがＵＣＩに接続されると、接点９及び汎用通信インタフェース１２上の対応している接点（図示しない）を介して汎用通信インタフェースとインタフェースしている、工作員が携行できる内蔵型個人任務用無線機が出来上がることになる。
【００２７】
用途によっては、工作員が個人任務用無線機を携行するのが不便な場合や、工作員が別の無線機を、恐らくは車両に搭載されている別の無線機を使用することを希望する場合もある。実際に、工作員は、自身の個人任務用無線機を車両内に搭載することを望むかもしれない。これは、図２の遠隔無線インタフェース１９により容易になるが、このインタフェースは図１Ａの個人任務用無線機上のインタフェースと同じではあっても、個人任務用無線機の一部としてではなく、この場合には、独立したインタフェースとして車両、航空機、船艇などに搭載することのできる別の無線機に、又は大型の携帯用歩兵無線機に、接続リード線２０によって接続される。
【００２８】
遠隔無線インタフェース１９は、インタフェース６と同じ物理的及び電気的接続部を備えているので、ＵＣＩは図３に示す遠隔無線インタフェース１９に取り付けることができる。図１Ｂと図３を見ると分かるように、ＵＣＩ１２のスロット１８には、接点１０に接続されているスペード上に接点を有するケーブルを取り付けることができる。ＵＣＩの反対側の対応するスロット（図示せず）には、接点を有する同様のケーブルがインタフェース６又は１９上の接点１１に接続できるようになっている。これら追加的なリード線を図４に示しており、図で、リード線２１は接続されているが、リード線２２は、図１Ａ及び図２の接点１１と接続される接点スペード２３を図示するために接続を外した状態で示している。
【００２９】
図４に示す装置では、ＵＣＩ１２は個人任務用無線機１に取り付けられているが、図３に示すように、図2の遠隔無線インタフェースにも同じく接続できる。リード線２１は、用途によっては補助無線機に接続してもよいが、リード線２２は、プレス・トゥー・トークスイッチ１６及び１７対応する遠隔スイッチ２４及び２５を、ＵＣＩ１２に接続している。追加的なスイッチ２４及び２５は、工作員にとって便利な場所、例えば、オートバイ又は四輪オートバイのハンドルバー又はライフルの銃床などに配置できる。これにより、工作員は車両の操縦装置又は携行している銃から手を離す必要なしに、無線機を操作できるようになる。代わりに、用途によっては、この機能は、図３に示すように単にＵＣＩ１２を遠隔無線インタフェース１９に取り付け、次にこの完全なユニットを適当な場所、即ち車両上又おそらくは工作員が装着している胸のホルスターに取り付けしさえすれば実現できる。遠隔汎用通信インタフェース１２には許容できる代替案が幾つでもあるものとご理解いただきたい。
【００３０】
図５に、図１Ｂの汎用通信インタフェースの変形例を示す。この場合、ＵＣＩ２６は、ヘッドセットが無くても作動できるように、マイクロホン２７とスピーカー２８を内蔵している。図示の実施例では、プレス・トゥー・トークスイッチ２９は１つだけであるが、これは設計上の選択の問題である。ＵＣＩ２６は、図１Ｂに示すＵＣＩ１２と全く同じ様式で、図１Ａの個人任務用無線機１、又は図２に示す遠隔無線インタフェースとインタフェースをとっている。
【００３１】
それぞれ図１Ｂと図５に示すＵＣＩ１２と２６は、両方とも、無線受信器（赤外線受信器に匹敵するもの）を内蔵している。この受信器の機能については、図６を参照しながら以下に説明するが、ここでは説明のみを目的にして、図１ＢのＵＣＩ１２は、全体を符号３０で示すヘッドセットに接続された状態が示され、このヘッドセット３０は、ヘッドホン３１とマイクロホン３２を有しており、マイクロホン３２はストークに取り付けられ、工作員が装着すると工作員の口元にくるようになっている。
【００３２】
図６に示す実施例では、ＵＣＩ１２は、先に図２に関連付けて説明した遠隔無線インタフェース１９に取り付けられている。この無線システムは、更に、ＰＴＴスイッチ３４と磁石３５の付いたコードレス遠隔プレス・トゥー・トーク（ＰＴＴ）モジュール３３を備えており、磁石３５は、モジュール３３のケーシング３６の壁に隣接して設けられている。遠隔モジュール３３は、ＰＴＴスイッチ３４の動作によって信号３７がＵＣＩ１２に送られ、ＵＣＩ１２の受信器（図示せず）がこの信号を受信すると、ＵＣＩはＰＴＴスイッチ（１６）が押されたかのように機能するように設計された低出力送信器を備えている。
【００３３】
遠隔モジュールの機能については、図７Ａ及び図７Ｂを参照しながら以下に更に詳しく説明するとして、ここで、簡潔さを期すため遠隔モジュール３３ではＰＴＴスイッチ３４を１つしか示していないが、モジュール３３を２つのネットワークで動作するように設計されたＵＣＩで使用したいという場合には、ＵＣＩのスイッチ１６及び１７に対応する２つのスイッチを配備できるものとご理解いただきたい。
【００３４】
図７Ａは遠隔モジュール３３の概略構成図であり、遠隔モジュール３３では、バッテリ３７がＰＴＴスイッチ３４により送信回路３８に接続される構成になっている。スイッチ３４が押下されると、バッテリは送信回路に接続され、送信回路がＥＰＲＯＭ３９からコードを検索する。このコードは遠隔モジュールにとって事実上固有のものであり、アンテナ４０を経由して、明快さを期すために唯１つのＰＴＴスイッチ１６の機能しか付けていない、図７Ｂに概略的に示すＵＣＩ１２内に格納されている受信用アンテナ４１まで、信号で送信される。
【００３５】
図７Ｂに示すように、ＰＴＴスイッチ１６は、マイクロホン３２を個人任務用無線機１に接続している。なお、ヘッドホン３１までの通信経路は、明快さを期して省略している。ヘッドセットは、ＵＣＩ１２を介して個人任務用無線機１に接続されているが、この無線機はどんな無線機でもよい。マイクロホン３２は、スイッチ１６により、又はアンテナ４１経由で受信器４２が受信した信号によって、個人任務用無線機１に接続される。受信器４２は、正確にコード化された信号を受信すると、スイッチ４３を閉じる。なお、図７とその説明は、スイッチの開閉について述べており、スイッチはＵＣＩ１２内に格納された物理スイッチとして示しているが、実用上この機能は電子的に行ってもよいし、実際には無線機１に内蔵されている送信器に適当な信号を生成することにより実現してもよい。
【００３６】
受信器４２が、遠隔モジュール３３が送信するコードを学習できるようにするため、遠隔モジュール３３は、磁石３５を受信器内の磁気感知リードスイッチ４４に隣接させた状態で、ＵＶＩ１２に隣接して保持される。磁石３５をリードスイッチ４４に隣接させると、リードスイッチは閉じて、受信器の回路を「学習」モードにセットする。工作員が遠隔モジュール３３のＰＴＴスイッチ３４を押下すると、そこに記憶されているコードが遠隔モジュール３３から受信器４２に送信され、このコードはここで受信回路４２のメモリに記憶され、続いて適切なコードとして認識される。
【００３７】
受信器４２は、対応する個数の遠隔装置からの信号に応答できるように、多数のコードを学習する。受信器をリセットして記憶されている全てのコードを消去する場合、磁石をリードスイッチに隣接して保持し、遠隔モジュール３３のＰＴＴスイッチ３４を５回素早く連続して押下する。受信器回路４２は、これを「全コード消去」信号として認識するようにプログラムされている。変わりに、受信器は、設定期間よりも長く続く信号を認識するようにプログラムしてもよい。
【００３８】
本発明による装置は、用途が幾つあってもよいが、具体的な用途は本明細書の範囲外であると認識いただきたい。しかしながら、本発明の１つの用途として、単に説明を目的に、警察オートバイのライダーに関して簡単に説明する。
【００３９】
警察官のライダーは、通常、個人任務用無線機をヘッドセット並びにＵＣＩ付きで完全なセットして自分の身に装着しており、ＵＣＩは無線機に直接取り付けられているか警察官の胸にストラップで固定されているかの何れかである。この場合都合の良いことは、オートバイ上にあろうが取り外そうが、警察官ライダー自身が完全な無線システムを携行していることである。しかしながら、オートバイ乗車中は、操縦装置を離すのは望ましくないので、遠隔モジュール３３はオートバイのハンドルバーの便利な位置に取り付けることになる。そうすると、ライダーが通信に応答したい場合は、単にボタン３４を押してマイクロホンに向かって話し掛ければよい。オートバイを離れるときは、遠隔モジュール３３をオートバイ上に残しても、ＵＣＩ１２１のＰＴＴボタン１６を押せば通信できる。
【００４０】
ライダーは色々なオートバイに乗るかもしれないし、また特定のオートバイを多数のライダーで使用することも考えられる。その場合、ライダーはＵＣＩの受信器を、自分が乗車する全てのオートバイ又は車両のコードでプログラムして、それら車両のどの１台に搭載されている遠隔モジュールでも彼の特定の無線機を作動させるようにすることができる。彼がそれまで乗ったことのないオートバイに乗る場合、彼は自分のＵＣＩ１２をそのオートバイの遠隔モジュール３３の近くに置きさえすれば、遠隔モジュールのコードが彼のＵＣＩの受信器に記憶される。
【００４１】
遠隔モジュール３３に受信器を備え、ＵＣＩから送信されたコードを受信するようにすることもできるが、それには、遠隔モジュール３３には受信器が、ＵＣＩ１２には送信器が、余分に必要となる。又、学習モードは、磁石３５以外でも生成することができ、例えば、磁石３５がリードスイッチ４３を作動させるのと等しく、スクリュードライバを小さな穴に入れてスイッチを作動させてもよい。
【００４２】
以上、本発明を採用する１つのやり方を説明してきた。しかしながら、当業者には他にも数多くの具体化及び活用例が考えられるであろうし、それらは特許請求の範囲に述べる事柄の範囲内に存するものである。
【図面の簡単な説明】
【図１Ａ】  本発明による個人任務用無線機の斜視図である。
【図１Ｂ】  本発明による汎用通信インタフェース（ＵＣＩ）の斜視図である。
【図２】  遠隔無線インタフェースの斜視図である。
【図３】  図１Ｂと図２の機器を組み合わせた装置を示す。
【図４】  図１Ａと図１Ｂの機器並びに補助構成要素を組み合わせた装置を示す。
【図５】  内臓スピーカとマイクロホンを備えた別の汎用通信インタフェースを示す。
【図６】  図１Ｂの汎用通信インタフェースとインタフェースしている各種通信機器を示す。
【図７Ａ】  図６に示す遠隔モジュール内の主要な構成要素の概略図である。
【図７Ｂ】  図７Ａの遠隔モジュールによるＵＣＩの遠隔操作に関わる図１Ｂ及び図６のＵＣＩの主要な構成要素を示す。
【図１Ａ】
0004280011.tif 000002
【図１Ｂ】
0004280011.tif 000003
【図２】
0004280011.tif 000004
【図３】
0004280011.tif 000005
【図４】
0004280011.tif 000006
【図５】
0004280011.tif 000007
【図６】
0004280011.tif 000008
【図７Ａ】
0004280011.tif 000009
【図７Ｂ】
0004280011.tif 000010